(57)【特許請求の範囲】
【請求項１】
被検者の識別情報が記録されたＩＤカードを読み取る手段と、
眼科測定装置と、
被検者の測定データを表示する表示部と、
被検者の測定データを保存するデータ記憶部と、
ＩＤカードから読み込まれた識別情報に従ってデータ記憶部から当該被検者の測定データを検索して表示部に表示するとともに、被検者の測定データを被検者の識別情報を付してデータ記憶部に保存する手段とを有し、
前記識別情報から被検者の氏名を特定し、特定された氏名を音声ガイダンスによる音声で被検者に問いかけ、被検者からの応答スイッチによる応答により本人であることの確認が行われることを特徴とする眼科装置。
【請求項２】
前記問いかけから一定時間後までに被検者からの応答スイッチによる応答がない場合は、前記問いかけを再度行い、被検者の氏名が一致しない場合は、該ＩＤカードによる測定を中止することを特徴とする請求項１に記載の眼科装置。
【請求項３】
前記測定データをＩＤカードに書き込むことを特徴とする請求項１又は２に記載の眼科装置。
【発明の詳細な説明】
【０００１】
【発明の属する技術分野】
本発明は、眼科装置、さらに詳細には、被検者の眼科測定データを表示し、そのデータを記憶、保存できる機能を有する眼科装置に関する。
【０００２】
【従来の技術】
従来、眼科測定装置で測定されたデータは、被検者の識別情報、例えばＩＤ番号を付してデータ記憶部に記憶されるので、その測定データを参照データとして呼出すとき、あるいは被検者の測定時には、その識別情報を入力して呼出しあるいは測定を行っている。しかし、識別情報の入力は手で行わなければならないので、データ操作に手間がかかり、また誤入力により処理が中断され、円滑な測定が保証されない、という問題があった。
【０００３】
【発明が解決しようとする課題】
本発明は、このような問題点を解決するためになされたもので、被検者を確実に特定でき、円滑な眼科測定を行うことが可能な眼科装置を提供することをその課題とする。
【０００４】
【課題を解決するための手段】
本発明は、上記課題を解決するために、
被検者の識別情報が記録されたＩＤカードを読み取る手段と、
眼科測定装置と、
被検者の測定データを表示する表示部と、
被検者の測定データを保存するデータ記憶部と、
ＩＤカードから読み込まれた識別情報に従ってデータ記憶部から当該被検者の測定データを検索して表示部に表示するとともに、被検者の測定データを被検者の識別情報を付してデータ記憶部に保存する手段とを有し、
前記識別情報から被検者の氏名を特定し、特定された氏名を音声ガイダンスによる音声で被検者に問いかけ、被検者からの応答スイッチによる応答により本人であることの確認が行われる構成を採用している。
【０００５】
このような構成では、ＩＤカードに被検者の識別情報が記録されているので、このＩＤカードを読み取ることにより、被検者を確実に識別することができる。従って、被検者の測定データを自動的に参照して表示したり、あるいは測定データを読み取られた被検者の識別情報とともにデータ記憶部に保存することが可能になり、円滑な眼科測定が保証される。
【０００６】
また、識別情報から被検者の氏名を特定できるようにし、特定された氏名を音声で問いかけ本人であることを確認できるようにすることにより被検者の特定、確認をより確実にすることが可能になる。
【０００７】
【発明の実施の形態】
以下、図面に示す実施の形態に基づいて本発明を詳細に説明する。
【０００８】
図１（Ａ）には、本発明の一実施形態に係わる眼科装置が図示されている。この眼科装置は、被検眼の検眼部１ａと、データ表示部１ｂと、操作ボタン１ｃと、応答スイッチ１ｄなどを備えた視力計として構成された眼科測定装置１を有している。この眼科測定装置１には、ＩＤカード２が挿入されるカード読取機３が接続されており、ＩＤカード２をカード読取機３で読み取ることによりＩＤカード２に記録されている被検者の識別情報などのデータをデータ表示部１ｂに表示させることができる。
【０００９】
また、眼科測定装置１は、データ表示部４ａを有するモニタ４と、キーボード６、マウス７などの入力手段と、データ記憶部５を備えたコンピュータにも接続されている。測定データ、識別情報などは、眼科測定装置１のデータ表示部１ｂ、モニタ４のデータ表示部４ａに同様に表示され、また操作は眼科測定装置の操作ボタン１ｃ、あるいはコンピュータのキーボード６、マウス７を介して行われるので、表示ないし操作は、眼科測定装置１側でも、あるいはコンピュータ側でも同様に行うことができる。
【００１０】
次に、このような構成において、被検者と対面して眼科測定を行なう対面測定のときの流れを図２を参照して説明する。電源をＯＮにすると、システムが立ち上がるので、ステップＳ１においてＩＤカード２をカード読取機３に挿入し、ＩＤカードの内容を読み取る。図３（Ａ）に示したように、ＩＤＮｏ．（ＩＤ番号）、氏名などの被検者の識別情報がデータ表示部１ｂ、４ａにでるので、本人に間違いないかを検者が確認した後、測定をするか、その前に過去の測定データを参照するかどうかを選択する（ステップＳ２）。
【００１１】
「参照」を選択した場合は、ステップＳ３でＩＤ番号でデータ記憶部のデータベースにアクセスして被検者の過去の測定データを呼出し、これを一覧表示させる。この状態が図３(Ｂ)に図示されており、一覧の中にあるデータ１０を指示して「詳細」を選択することにより、図３（Ｄ）に示したような被検者の詳細なデータをデータ表示部１ｂ、４ａに表示させることもできる（ステップＳ４）。
【００１２】
続くステップＳ５で、詳細なデータを参照した結果に基づき、検者が新たな測定が必要と判断した場合は、ステップＳ６で測定を行い、また測定が不要と判断した場合にはステップＳ９に進む。測定が必要とされた場合には、図３（Ｃ）に示したような表示が行われるので、ステップＳ６で動体視力、静止視力あるいはその両方を測定するかどうか、あるいはこれらの測定を左眼、右眼、あるいは両眼に対して行うかなどを選択する。なお、前回選択した測定と同じときは、この選択作業を省略することができる。
【００１３】
静止視力を測定する場合はステップＳ７で静止視力を、動体視力を測定する場合はステップＳ８で動体視力を、またその両方を測定する場合は、それぞれステップＳ７とステップＳ８の測定を連続して行う。なお、動体視力を測定する場合は、視標速度も選択しておく。
【００１４】
測定結果は、図３（Ｄ）と同じような画面表示となる図３（Ｅ）で表示されるので、ステップＳ９で図３（Ｅ）の測定結果を見て、次の被検者を測定するか、測定をやり直すか、あるいは終了するかを判断する。測定が正常に行われたと判断された場合は、ステップＳ１０でその測定結果がデータ記憶部５に蓄積されたデータベースに新たな測定データとしてＩＤカードで読み取ったＩＤ番号で記録される。その後、ステップＳ１に戻って次の被検者を測定するため新たなＩＤカードを読み込む。
【００１５】
ステップＳ９で測定が正確にできなかったと判断された場合は、「再測定」を選択してステップＳ２に戻って測定をやり直す。測定を終了する時は、ステップＳ１１でステップＳ１０と同様に測定データをデータベースに記録してシステムを終了する。
【００１６】
次に、図１（Ａ）の眼科装置で、被検眼の自動測定を行う場合の実施形態について図４と図５を参照して説明する。
【００１７】
電源をオンにしてシステムを立ち上げると、図５（Ａ）に示した画面がデータ表示部１ｂ、４ａに現れるので、ステップＳ２０で測定プログラムを設定・選択する。ここで、静止視力か動体視力か、単眼、あるいは両眼かなどを選択して、設定終了を押すと、測定プログラムが確定し、自動測定のスタンバイ状態となる。
【００１８】
続いて、ステップＳ２１でＩＤカード２をカード読取機３に差し込み、ＩＤカードの内容を読み取る。その内容に応じて「××××さんですね。正しいときは手元のスイッチを押してください。」とのアナウンスが流され、音声で氏名が問い合わされて被検者の確認が行われる（ステップＳ２２）。一定時間後までに被検者から応答スイッチ１ｄによる応答がないと、正しく認識されなかったとして「もう一度ＩＤカードを差し込んでください」というアナウンスが流れ、前回と同様の問いかけが行われるので、ステップＳ２３でＩＤカードの再度の読取が行われ、ステップＳ２４で被検者の氏名の再確認が行われる。２回目でも名前の一致がなかった場合には被検者が所持しているＩＤカードが正しくないとして、「そのＩＤカードは使用できません。受付にお越しください。」というアナウンスがなされ、そのＩＤでの測定を中止しＩＤカードの確認を行わせる（ステップＳ２５）。その後、ステップＳ２１に戻り、ＩＤカードの読み取りを行う。
【００１９】
ステップＳ２２、Ｓ２４でＩＤカードが正常に読み取られ、被検者が応答スイッチ１により応答して氏名が正しいと確認されると、ステップＳ２６で自動的に測定が開始され、音声で「これから視力測定をはじめます」というアナウンスが流れ、設定・選択された測定プログラムが実行される（ステップＳ２７）。被検者の誘導は音声ガイダンスで行われ、測定結果は、図５（Ｂ）に示したように順次データ表示部１ｂ、４ａに表示されるので、測定途中でも検者はその確認を行うことができる。
【００２０】
ステップＳ２８で、測定結果や応答速度があらかじめ設定された許容範囲に入っているかどうかで測定が正しいかどうかを判断し、正しく測定されてないと「もう一度測定を行います」とのアナウンスが流され、「再測定」のボタンを押してステップＳ２６に戻り再測定を行う。正しい場合は、ステップＳ２９において、「お疲れ様でした。検査は終了しました」とのアナウンスがなされ、ＩＤ番号とともに、測定結果がデータ記憶部５のデータベースに記憶される。またこのときデータ表示部１ｂ、４ａに表示されている測定結果は他人に見られないように画面から消去されるように設定しておくこともできる。
【００２１】
その後ステップＳ３０で、次の被検者の測定、測定プログラムの変更、終了が選択される。次の被検者を測定する場合は、ステップＳ２１に戻り、新しいＩＤカードを読み込ませれば、自動的に次の被検者の測定が開始される。測定プログラムを変更する場合は、ステップＳ２０に戻り測定プログラムの選択・設定をもう一度行う。また測定を終了する場合は、電源をオフにしてシステムを終了させる。
【００２２】
他の実施形態としては、カード読取機３に代えて、図１（Ｂ）に図示したようなカード読み取り、書き込み機３’を眼科測定装置１に接続するようにすることもできる。この実施形態では、読み書き可能なＩＤカードあるいはメモリカードのような記録媒体２’を使用することができ、ＩＤカード又はメモリカードに記録された識別情報あるいは測定データなどをカード読み取り、書き込み機３’から読み取ることができ、また測定データをＩＤカード又はメモリカードに書き込み記録することが可能になる。従って、この実施形態では、図２のステップＳ１０、Ｓ１１、あるいは図４のステップＳ２９で行なわれる測定データの記録は、読み書き可能なＩＤカードあるいは他の読み書き可能な記録媒体に行なうことが可能になり、測定データの記録は、読み書き可能な記録媒体２’あるいはデータ記憶部５のデータベース、あるいは読み書き可能な記録媒体２’とデータ記憶部５のデータベースの両方に行なうことが可能になる。
【００２３】
なお、図１では、眼科測定装置としてデータ表示機能付き視力計が例示されているが、本発明は、このような視力計に限定されるものではなく、他の眼科測定装置、例えば眼底カメラ、視野計などにも同様に適用させ、同様な効果を得ることができ、またデータ表示機能を持たない測定装置でも本発明を十分実現することが可能である。
【００２４】
【発明の効果】
以上説明したように、本発明では、ＩＤカードに被検者の識別情報が記録されているので、このＩＤカードを読み取ることにより得られる識別情報から被検者の氏名を特定でき、この特定された氏名を音声ガイダンスによる音声で被検者に問いかけ、被検者からの応答スイッチによる応答により本人であることの確認が行われるので、被検者を確実に識別することができる。従って、被検者の測定データを自動的に呼出して表示したり、あるいは測定データを読み取られた被検者の識別情報とともにデータベースに記憶、保存することが可能になり、円滑な眼科測定が保証される。
【図面の簡単な説明】
【図１】本発明の眼科装置の全体の構成を示す斜視図である。
【図２】被検者に対して対面測定を行う場合の流れを示すフローチャート図である。
【図３】対面測定時にデータ表示部に現れる画面を示した表示図である。
【図４】被検者に対して自動測定を行う場合の流れを示すフローチャート図である。
【図５】自動測定時にデータ表示部に現れる画面を示した表示図である。
【符号の説明】
１  眼科測定装置
２  ＩＤカード
３  カード読取機
５  データ記憶部
【図１】
0004149077.tif 000002
【図２】
0004149077.tif 000003
【図３】
0004149077.tif 000004
【図４】
0004149077.tif 000005
【図５】
0004149077.tif 000006